(57)【要約】【課題】本考案は、従来のドレンパイプヒーターを改良し、同じ電力でかつ内部温度が２倍以上となり、凍結防止能力が向上するドレン管凍結防止用ヒーターを提供する。【解決手段】本考案のドレン管凍結防止用ヒーターは、塩ビ製短円筒１とステンレスカバー２及びステンレス外部円筒３に囲まれた円環空間状のヒーター収納部には、前記ステンレス外部円筒３側の外部へ熱が逃げないように前記ステンレス外部円筒３内側に沿って遮熱材４が装着され、そして前記遮熱材４の内側に加熱用の自己温度制御型ヒーター５が前記遮熱材４に沿って設けられる。さらに、前記塩ビ製短円筒２のヒーター収納部内側には、円環状の切欠き部を形成して塩ビ内部円筒６で塞ぎ、該塩ビ内部円筒６のヒーター収納部内側には遠赤外線シート７を貼着する。【選択図】図１
0003150562.tif 000002
【実用新案登録請求の範囲】
【請求項１】
雨水を排出する排水管となる円筒状の塩ビ製短円筒と、該塩ビ製短円筒の上下端より前記塩ビ製短円筒の外側に円錐状に広がる短円錐筒を有するステンレスカバーと、該ステンレスカバーの上下の短円錐筒を連結する円筒状のステンレス外部円筒と、前記塩ビ製短円筒とステンレスカバー及びステンレス外部円筒に囲まれた円環空間状のヒーター収納部とにより構成され、前記ヒーター収納部には、前記ステンレス外部円筒側の外部へ熱が逃げないように前記ステンレス外部円筒内側に沿って遮熱材が装着され、そして前記遮熱材の内側に加熱用の自己温度制御型ヒーターが前記遮熱材に沿って設けられ、さらに前記塩ビ製短円筒のヒーター収納部内側には、円環状の切欠き部を形成して塩ビ内部円筒で塞ぎ、該塩ビ内部円筒のヒーター収納部内側には遠赤外線シートを貼着することを特徴とするドレン管凍結防止用ヒーター。
【考案の詳細な説明】
【技術分野】
【０００１】
本考案は、ビル等の建築物のドレン排水を排出する排水設備に関し、特に屋上や屋根からの垂直排水管の凍結を防止するドレン管凍結防止用ヒーターに関する。
【背景技術】
【０００２】
従来、本出願人が考案した、組立や施工を簡単に行うことが出来るドレンパイプヒーターが一般的に知られている（特許文献１を参照）。
この公知技術では、一体成型により中央を円環状に膨出させたヒーター収容部を有するステンレス製のヒーター筒と、前記ヒーター収容部内の外気側に耐熱断熱材を施し、さらに前記耐熱断熱材の内側に螺旋状に卷回して収納した自己温度制御型ヒーターと、該自己温度制御型ヒーターを保持するように前記ヒーター収容部の内側開口を塞ぎ、前記ヒーター筒内に挿入嵌合されたアルミ製の閉塞板と、前記ヒーター収容部の外側下部に円環状閉鎖空間を形成するアルミケースとからなるドレンパイプヒーターである。
【先行技術文献】
【特許文献】
【０００３】
【特許文献１】実用新案登録第３０８９０８１号公報
【考案の概要】
【考案が解決しようとする課題】
【０００４】
本考案は、前記ドレンパイプヒーターを改良し、同じ電力でかつ内部温度が２倍以上となり、凍結防止能力が向上するドレン管凍結防止用ヒーターを提供することを目的とする。
【課題を解決するための手段】
【０００５】
本考案のドレン管凍結防止用ヒーターは、雨水を排出する排水管となる円筒状の塩ビ製短円筒と、該塩ビ製短円筒の上下端より前記塩ビ製短円筒の外側に円錐状に広がる短円錐筒を有するステンレスカバーと、該ステンレスカバーの上下の短円錐筒を連結する円筒状のステンレス外部円筒と、前記塩ビ製短円筒とステンレスカバー及びステンレス外部円筒に囲まれた円環空間状のヒーター収納部とにより構成され、前記ヒーター収納部には、前記ステンレス外部円筒側の外部へ熱が逃げないように前記ステンレス外部円筒内側に沿って遮熱材が装着され、そして前記遮熱材の内側に加熱用の自己温度制御型ヒーターが前記遮熱材に沿って設けられ、さらに前記塩ビ製短円筒のヒーター収納部内側には、円環状の切欠き部を形成して塩ビ内部円筒で塞ぎ、該塩ビ内部円筒のヒーター収納部内側には遠赤外線シートを貼着するものである。
【考案の効果】
【０００６】
本考案のドレン管凍結防止用ヒーターは、雨水を排出する排水管となる円筒状の塩ビ製短円筒と、該塩ビ製短円筒の上下端より前記塩ビ製短円筒の外側に円錐状に広がる短円錐筒を有するステンレスカバーと、該ステンレスカバーの上下の短円錐筒を連結する円筒状のステンレス外部円筒と、前記塩ビ製短円筒とステンレスカバー及びステンレス外部円筒に囲まれた円環空間状のヒーター収納部とにより構成され、前記ヒーター収納部には、前記ステンレス外部円筒側の外部へ熱が逃げないように前記ステンレス外部円筒内側に沿って遮熱材が装着され、そして前記遮熱材の内側に加熱用の自己温度制御型ヒーターが前記遮熱材に沿って設けられるので、同じ電力でかつ内部温度が２倍以上にできる効果がある。
本考案のドレン管凍結防止用ヒーターは、さらに前記塩ビ製短円筒のヒーター収納部内側には、円環状の切欠き部を形成して塩ビ内部円筒で塞ぎ、該塩ビ内部円筒のヒーター収納部内側には遠赤外線シートを貼着するので、遠赤外線効果により凍結防止能力がアップできる効果がある。
本考案のドレン管凍結防止用ヒーターは、従来の塩ビタイプに代えて外部をステンレス製に変更したので強度を増すことができる効果がある。
【図面の簡単な説明】
【０００７】
【図１】本考案のドレン管凍結防止用ヒーターの縦断面図である。
【図２】本考案のドレン管凍結防止用ヒーターの平面図である。
【考案を実施するための形態】
【０００８】
本考案のドレン管凍結防止用ヒーターの一実施例を添付図面に基づいて、以下に説明する。
図１に示すように、本考案のドレン管凍結防止用ヒーターは、雨水を排出する排水管となる円筒状の塩ビ製短円筒１と、該塩ビ製短円筒１の上下端より前記塩ビ製短円筒１の外側に円錐状に広がる短円錐筒を有するステンレスカバー２と、該ステンレスカバー２の上下の短円錐筒を連結する円筒状のステンレス外部円筒３と、前記塩ビ製短円筒１とステンレスカバー２及びステンレス外部円筒３に囲まれた円環空間状のヒーター収納部とにより構成される。
前記ヒーター収納部には、前記ステンレス外部円筒３側の外部へ熱が逃げないように前記ステンレス外部円筒３内側に沿って遮熱材４が装着され、そして前記遮熱材４の内側に加熱用の自己温度制御型ヒーター５が前記遮熱材４に沿って設けられる。
さらに、前記塩ビ製短円筒１のヒーター収納部内側には、円環状の切欠き部を形成して塩ビ内部円筒６で塞ぎ、該塩ビ内部円筒６のヒーター収納部内側には遠赤外線シート７を貼着する。
番号８は、ネグロスである。
【０００９】
次に、本考案のドレン管凍結防止用ヒーターの操作動作について、図面に基づいて以下に説明する。
ビル等の高層建築物の屋上や屋根からの雨水を排出する排出管の地上とのドレン排水口に、本考案のドレン管凍結防止用ヒーターを連結し、図示しないコンセントに電気コードを差し込み、自己温度制御型ヒーター５に通電する。
外気温が低下すると、図１に示す自己温度制御型ヒーター５は温度上昇し、ヒーター収納部の外気側には遮熱材４を施しているので、ヒーター収納部内の空間部を効率良く温めると共に、ヒーター収納部の内側の遠赤外線シート７を温めるため、前記遠赤外線シート７が遠赤外線を放射して塩ビ製短円筒１を効率良く温めるので排水管を暖気が上昇する。
ドレン排水口から入った外気は、ドレン管凍結防止用ヒーターにより暖められて上昇し、垂直ドレンパイプの氷結を防止しながら、屋上や屋根の排水口から暖気が排気されて、前記排水口の周りも氷結するのを防止する。
また、垂直ドレンパイプを流下した融雪水は、ドレン管凍結防止用ヒーターにより排水管全体が暖められているので氷結することなく流下する。
【符号の説明】
【００１０】
１  塩ビ製短円筒
２  ステンレスカバー
３  ステンレス外部円筒
４  遮熱材
５  自己温度制御型ヒーター
６  塩ビ内部円筒
７  遠赤外線シート
８  ネグロス
【図１】
0003150562.tif 000003
【図２】
0003150562.tif 000004